(57)【要約】 【課題】本発明の治療用シートは、多数の装着孔を有するシート本体と、シート本体の装着孔に分離可能に結合されるレーザーダイオード組立体を含み、レーザーダイオード組立体は、レーザー光を発生させるレーザーダイオードと内部にレーザーダイオードが収容される収容空間を具備した第１ハウジングと第１ハウジングに収容されたレーザーダイオードに接続され、レーザーダイオードを駆動させる駆動回路基板と第１ハウジングに対して分離可能に結合される第２ハウジングを含む。【解決手段】本発明は、レーザー光またはそれに準ずる波長を有する光を照射できるレーザーダイオード（ＬＤ：Laser Diode）の組立または維持補修等を容易にするだけでなく、ダイオードから発生する熱を効率よく放熱させることができ、放熱される熱を治療用途に活用できるだけでなく、防水性能と照射効率に優れた治療用ダイオード組立体及び治療用シートに関するものである。【選択図】  図１
2010518618.tif 000002
【特許請求の範囲】
【請求項１】
レーザー光を発生させるレーザーダイオードと、
内部に前記レーザーダイオードが収容される収容空間を具備した第１ハウジングと、
前記第１ハウジングに収容されたレーザーダイオードに接続され、前記レーザーダイオードを駆動させる駆動回路基板と、
前記第１ハウジングに対して分離可能に結合される第２ハウジングと、を含み、
前記第１及び第２ハウジングは、相互隣接する部分に所定間隔で離隔された第１及び第２加圧面を具備することを特徴とする治療用レーザーダイオード組立体。
【請求項２】
前記第１及び第２ハウジングは、相互結合される部分に結合部及び結合溝を具備し、前記結合部及び結合溝には、ねじ部が各々設けられていることを特徴とする請求項１に記載の治療用レーザーダイオード組立体。
【請求項３】
前記第１ハウジングの第１加圧面及び第２ハウジングの第２加圧面には、係合フック及び係合溝が相互対応するように設けられていることを特徴とする請求項１に記載の治療用レーザーダイオード組立体。
【請求項４】
前記レーザーダイオードの一部及び駆動回路基板を収容する放熱部材をさらに具備し、前記放熱部材は第１ハウジングの収容空間に収容され、前記第１及び第２ハウジングが相互結合される部分にはねじ部が各々設けられ、前記第２ハウジングの上部にはレンズ部がさらに備えられ、前記放熱部材及びレーザーダイオードが相互接触する部分には結合突起及び結合溝が相互対応するように備えられていることを特徴とする請求項１に記載の治療用レーザーダイオード組立体。
【請求項５】
前記レーザーダイオードの外表面を囲むレンズ部をさらに具備し、前記駆動回路基板を囲む放熱部材をさらに具備し、前記放熱部材は第１ハウジングの収容空間に収容され、前記第１及び第２ハウジングが相互結合される部分にはねじ部が各々設けられていることを特徴とする請求項１に記載の治療用レーザーダイオード組立体。
【請求項６】
多数の装着孔を有するシート本体と、前記シート本体の装着孔に分離可能に結合されるレーザーダイオード組立体と、を含み、
前記レーザーダイオード組立体は、
レーザー光を発生させるレーザーダイオードと、
内部に前記レーザーダイオードが収容される収容空間を具備した第１ハウジングと、
前記第１ハウジングに収容されたレーザーダイオードに接続され、前記レーザーダイオードを駆動させる駆動回路基板と、
前記第１ハウジングに対して分離可能に結合される第２ハウジングと、を含み、
前記第１及び第２ハウジングは、相互隣接する部分に所定間隔で離隔された第１及び第２加圧面を具備し、前記第１及び第２加圧面は、前記第１ハウジングと前記第２ハウジングとの結合によって前記シート本体の装着孔の縁部を圧着することを特徴とする治療用シート。
【請求項７】
前記第１及び第２ハウジングは、相互結合される部分にねじ部が各々設けられていることを特徴とする請求項６に記載の治療用シート。
【請求項８】
前記第１ハウジングの第１加圧面及び第２ハウジングの第２加圧面には、係合フック及び係合溝が相互対応するように設けられていることを特徴とする請求項６に記載の治療用シート。
【請求項９】
前記レーザーダイオードの一部及び駆動回路基板を収容する放熱部材をさらに具備し、前記放熱部材は第１ハウジングの収容空間に収容され、前記第１及び第２ハウジングが相互結合される部分にはねじ部が各々設けられ、前記第２ハウジングの上部にはレンズ部がさらに備えられ、前記放熱部材及びレーザーダイオードが相互接触する部分には結合突起及び結合溝が相互対応するように備えられ、前記第１及び第２ハウジングのねじ部の間には密封材が介在し、前記駆動回路基板の下部には密封層が塗布されることを特徴とする請求項６に記載の治療用シート。
【請求項１０】
前記レーザーダイオードの外表面を囲むレンズ部をさらに具備し、前記駆動回路基板を囲む放熱部材をさらに具備し、前記放熱部材は第１ハウジングの収容空間に収容され、前記第１及び第２ハウジングが相互結合される部分にはねじ部が各々設けられ、前記駆動回路基板の下部には密封層が塗布されることを特徴とする請求項９に記載の治療用レーザーダイオード組立体。
【請求項１１】
前記第１及び第２ハウジングの何れか一つは、熱伝導性材質で形成されることを特徴とする請求項６に記載の治療用シート。
【請求項１２】
前記第２ハウジングは陰電位を帯びる金属材質で形成され、前記金属材質はアルミニウム、アルミニウム合金、銀、銀合金、銅、銅合金の何れか一つの材質で形成されることを特徴とする請求項６に記載の治療用シート。
【請求項１３】
前記レーザーダイオードは、６００ｎｍ〜８９０ｎｍの波長を有するレーザー光を発生させることを特徴とする請求項６に記載の治療用シート。
【請求項１４】
レーザー光を発生させる光源及び該光源のレーザー光を外部に通過させる通過孔を有するレーザーダイオードと、
前記レーザーダイオードに接続された印刷回路基板と、
前記印刷回路基板を囲む熱伝導性材質の放熱部材と、
前記レーザーダイオードの通過孔を囲むように設けられたレンズと、を含むことを特徴とするレーザーダイオード組立体。
【請求項１５】
前記放熱部材は、アルミニウム、アルミニウム合金、銅、銅合金、銀、銀合金の何れか一つまたは二つ以上で形成されていることを特徴とする請求項１４に記載のレーザーダイオード組立体。
【請求項１６】
前記印刷回路基板及びレーザーダイオードは、相互接触する部分に密封材が介在することを特徴とする請求項１４に記載のレーザーダイオード組立体。
【請求項１７】
前記レーザーダイオード及び放熱部材は、その相互接触する部分に結合突起及び結合溝を相互対応するように具備することを特徴とする請求項１４に記載のレーザーダイオード組立体。
【請求項１８】
前記レンズは、ＳｉＯ２を含有したガラスレンズ、透明樹脂、エポキシ樹脂の何れか一つまたは二つ以上で形成されることを特徴とする請求項１４に記載のレーザーダイオード組立体。
【発明の詳細な説明】
【技術分野】
【０００１】
本発明は、治療用レーザーダイオード組立体及びこれを含む治療用シートに関するもので、より詳しくは、レーザー光またはそれに準ずる波長を有する光を照射できるレーザーダイオード（ＬＤ：Laser Diode）の組立または維持補修等を容易にするだけでなく、ダイオードから発生する熱を効率よく放熱させることができ、放熱される熱を治療用途に活用できるだけでなく、防水性能と照射効率に優れた治療用ダイオード組立体及び治療用シートに関するものである。
【背景技術】
【０００２】
広く知られているように、レーザーダイオードは、化合物半導体の光電効果を用いた素子であって、既存の応用分野である光通信ＯＡ、ＡＶ、計測分野だけでなく、最近は医療分野までその応用が拡大されつつある。  
【０００３】
植物に対する光−化学的作用は、炭素同化作用で見ることができ、生体に対しても光を照射すると、その光学的作用によりＡＴＰが生成され、細胞が活性化するということが広く知られている。
【０００４】
すなわち、レーザー光またはそれに準ずる波長を有する光を、生体細胞の損傷のない低いエネルギーで照射し、生体の生理作用活性化を誘導することで、痛症緩和、患部の早速な再生、原因疾病の除去等のような治療効果を付与する方法が広く施行されている。この時、使われる光の波長によって互いに異なる治療効果が現れることが既に公知されている。
【０００５】
最近、このようなレーザー光またはそれに準ずる波長を有する光を用いた治療方法として、低出力レーザー技法（ＬＬＬＴ：Low Level Laser Therapy）、または光ダイオード治療技法（ＬＥＤＴ：Light Emitting Diode Therapy）等が広く公知されている。
【０００６】
このような低出力レーザー技法に用いられるレーザー光は、Ｈｅ−Ｎｅレーザーや半導体レーザーまたはＹＡＧレーザー等を用いると発生させることができ、特に大きさや費用面で半導体レーザーが有利であり、主にＧａＡｓ（９０４ｎｍ）、ＧａＡｌＡｓ（７８０−８２０−８７０ｎｍ）、ＩｎＧａＡｌＰ（６３０−６８５ｎｍ）を材料とする半導体レーザー等が用いられている。
【０００７】
これにより、最近、レーザー光を照射する治療用マットまたは敷布団等のような多様な治療用製品が広く出市されている。
【０００８】
しかしながら、従来のレーザー光を照射する治療用製品は、マット、座布団または敷布団等にレーザーダイオードを組立ないしは設置する作業が極めて煩わしく進行され、その製造単価を上昇させる短所があり、また、ダイオードの交替及び修理のための分解等が容易でないため、その維持補修性が極めて低下するという短所があった。
【０００９】
また、従来のレーザーダイオード組立体は、作動中に印刷回路基板上で多くの熱が発生して、各種誤作動を誘発させ、かつ、レーザー光の集光または拡散のような照射効率が極めて低下するという短所があった。
【先行技術文献】
【特許文献】
【００１０】
【特許文献１】韓国特許登録第１０−０３８９７０３号明細書
【非特許文献】
【００１１】
【非特許文献１】ジェームズ・コックス(James Cox)著、「5th Edition of Low Back Pain: Mechanism, Diagnosis and Treatment  (腰痛学)」、第５版、ｐ．５０８
【非特許文献２】ロバート・ベーカー(Robert Baker)、「Bioelectronics(生体電気)」、ｐ．７３、７４、９９、１００
【発明の概要】
【発明が解決しようとする課題】
【００１２】
本発明は前記した点を鑑みて案出されたもので、本発明の目的は、マット、座布団または敷布団等のような治療用シートにレーザーダイオードをより容易に設置または組立することができ、かつ、治療用シートからのレーザーダイオードの分解をより容易にして、その維持補修性を向上させた治療用レーザーダイオード組立体及びこれを含む治療用シートを提供することにある。
【００１３】
また、本発明の他の目的は、ダイオードから発生する熱をより効果的に外部に発散させるとともに、この発散される熱を温熱または暖房の用途に積極的に活用できる治療用レーザーダイオード組立体及びこれを含む治療用シートを提供することにある。
【００１４】
本発明の更に他の目的は、熱放出が容易なだけでなく、レーザー光の照射効率をより向上させることができるレーザーダイオード組立体を提供することにある。
【課題を解決するための手段】
【００１５】
前記のような目的を達成するために、本発明は、レーザー光を発生させるレーザーダイオードと、内部に前記レーザーダイオードが収容される収容空間を具備した第１ハウジングと、前記第１ハウジングに収容されたレーザーダイオードに接続され、前記レーザーダイオードを駆動させる駆動回路基板と、前記第１ハウジングに対して分離可能に結合される第２ハウジングと、を含み、前記第１及び第２ハウジングは、相互隣接する部分に所定間隔で離隔された第１及び第２加圧面を具備することを特徴とする。
【００１６】
本発明に係る治療用シートは、多数の装着孔を有するシート本体と、前記シート本体の装着孔に分離可能に結合されるレーザーダイオード組立体と、を含み、前記レーザーダイオード組立体は、レーザー光を発生させるレーザーダイオードと、内部に前記レーザーダイオードが収容される収容空間を具備した第１ハウジングと、前記第１ハウジングに収容されたレーザーダイオードに接続され、前記レーザーダイオードを駆動させる駆動回路基板と、前記第１ハウジングに対して分離可能に結合される第２ハウジングと、を含み、前記第１及び第２ハウジングは、相互隣接する部分に所定間隔で離隔された第１及び第２加圧面を具備し、前記第１及び第２加圧面は、前記第１ハウジングと前記第２ハウジングとの結合によって前記シート本体の装着孔の縁部を圧着することを特徴とする。
【００１７】
本発明の好ましい他の実施例に係るレーザーダイオード組立体は、レーザー光を発生させる光源及び該光源のレーザー光を外部に通過させる通過孔を有するレーザーダイオードと、前記レーザーダイオードに接続された印刷回路基板と、前記印刷回路基板を囲む熱伝導性材質の放熱部材と、前記レーザーダイオードの通過孔を囲むように設けられたレンズと、を含むことを特徴とする。
【００１８】
本発明の特徴及び利点は、添付図面に基づいた次の詳細な説明により一層明確になる。本明細書及び請求範囲に使われた用語や単語は、通常的且つ辞典的な意味で解釈してはいけなく、発明者が自分自身の発明を最も最善の方法を持って説明するために、用語の概念を適切に定義できるという原則に立脚して、本発明の技術的思想に符合する意味および概念で解釈すべきである。
【発明の効果】
【００１９】
本発明の治療用ダイオード組立体及び治療用シートは、マット、座布団または敷布団等のような治療用シートにレーザーダイオードをより容易に設置または組立することができ、かつ、治療用シートからのダイオードの分解をより容易にして、その維持補修性を向上させることができるという効果がある。
【００２０】
また、本発明は、レーザーダイオードから発生する熱をより効果的に外部に発散させるとともに、この発散される熱を温熱または暖房の用途に積極的に活用できるという長所がある。また、本発明は、レーザーダイオード及び駆動回路基板に湿気または水分が浸入することを未然に遮断することにより、防水性能を向上させるという長所がある。
【００２１】
また、本発明のレーザーダイオード組立体は、熱放出が容易なだけでなく、レーザー光の照射効率をより向上させることができるという効果がある。
【図面の簡単な説明】
【００２２】
【図１】本発明の第１実施例によるレーザーダイオード組立体を示した分解断面図である。
【図２】本発明の第１実施例によるレーザーダイオード組立体を示した結合断面図である。
【図３】本発明の第１実施例による治療用シートを示した結合断面図である。
【図４】本発明の第２実施例によるレーザーダイオード組立体を示した分解断面図である。
【図５】本発明の第２実施例による治療用シートを示した結合断面図である。
【図６】本発明の第３実施例によるレーザーダイオード組立体を示した分解斜視図である。
【図７】本発明の第３実施例による治療用シートを示した部分結合断面図である。
【図８】本発明の第４実施例によるレーザーダイオード組立体及び治療用シートを示した部分結合断面図である。
【図９】本発明の第５実施例によるレーザーダイオード組立体を示した結合断面図である。
【図１０】本発明の第５実施例によるレーザーダイオード組立体の製造工程を示した斜視図である。
【図１１】本発明の第５実施例による治療用シートを示した部分結合断面図である。
【図１２】本発明のレーザーダイオード組立体及び治療用シートが治療用マットに適用される状態を示した例示図である。
【図１３】本発明のレーザーダイオード組立体及び治療用シートが治療用バンドに適用される状態を示した例示図である。
【図１４】本発明の治療用レーザーダイオード組立体及び治療用シートが脱毛治療器に適用された状態を示した例示図である。
【図１５】本発明の他の実施例によるレーザーダイオード組立体を示した結合斜視図である。
【図１６】図１５のレーザーダイオード組立体を示した分解斜視図である。
【図１７】図１５のレーザーダイオード組立体を示した結合断面図である。
【図１８】図１５のレーザーダイオード組立体を示した写真である。
【発明を実施するための形態】
【００２３】
上述した本発明の目的、特徴及び長所は、次の詳細な説明によって更に明らかになる。
【００２４】
以下、添付した図面を参照して、本発明の好ましい実施例によるレーザーダイオード組立体及びこれを含む治療用シートについて詳細に説明する。
【００２５】
図面において同一構成要素または同一部品には、同一参照符号を付していることに留意すべきである。本発明を説明するに当たり、関連した公知の機能あるいは構成についての具体的な説明は、本発明の要旨を曖昧にさせないように省略する。
【００２６】
図１及び図２は、本発明の第１実施例による治療用レーザーダイオード組立体を示す。
【００２７】
図１及び図２に示されたように、本発明の治療用レーザーダイオード組立体１００は、レーザーダイオード１５０と、第１ハウジング１１０と、第２ハウジング１２０とを含む。
【００２８】
レーザーダイオード１５０は、多様な治療用途に適合した波長、好ましくは６００ｎｍ〜８９０ｎｍの波長を有するレーザー光を発生させる多様な構造のレーザーダイオードが適用される。一方、図１乃至図５には、レーザーダイオードパッケージ１５０の一例示的な形態が図示されている。
【００２９】
このようなレーザーダイオードパッケージ１５０は、光源（図示せず）と、フォトダイオード等を具備したステム１５０ａと、前記ステム１５０ａの上部に備えられ、前記光源（図示せず）から発生した光を外部に通過させる光通過孔（図示せず）を有する円筒形カバー１５０ｂと、を含み、前記円筒形カバー１５０ｂの通過孔（図示せず）は、その上端面に光源（図示せず）から発生した光を外部に通過させるレンズ（図示せず）等を具備する。
【００３０】
第１ハウジング１１０は、その内部に上述したレーザーダイオード１５０が収容される収容空間１１０ａを具備し、その上部側に結合部１１０ｂを具備する。
【００３１】
第２ハウジング１２０は、第１ハウジング１１０の結合部１１０ｂに挟まれる結合溝１２０ｂを有し、本第１実施例の結合溝１２０ｂはその上部が開放され、この結合溝１２０ｂの上部にはレーザーダイオード１５０のレーザー光をより多様な範囲に照射できるレンズ（図示せず）等が備えられる。
【００３２】
一方、第１ハウジング１１０の結合部１１０ｂの外周面には、雄ねじ部１１０ｃが設けられ、第２ハウジング１２０の結合溝１２０ｂ内周面には、前記雄ねじ部１１０ｃに螺合される雌ねじ部１２０ｃが設けられる。
【００３３】
これにより、本発明の第１ハウジング１１０及び第２ハウジング１２０は、第１ハウジング１１０の結合部１１０ｂ及び第２ハウジング１２０の結合溝１２０ｂが、その雄ねじ部１１０ｃと雌ねじ部１２０ｃとの螺合によって分離可能に結合されることにより、その組立及び分解が極めて容易であるという長所がある。
【００３４】
また、第１ハウジング１１０の収容空間１１０ａに内蔵されたレーザーダイオード１５０を駆動させる駆動回路基板１６０が、レーザーダイオード１５０側に接続されており、この駆動回路基板１６０には一つ以上の電線１６０ａ、１６０ｂが引出される。
【００３５】
一方、第１ハウジング１１０及び第２ハウジング１２０は、レーザーダイオード１５０から発生した熱をより効果的に外部に放出させるように熱伝導性材質で形成されることが好ましい。このような熱伝導性材質としては、アルミニウム、アルミニウム合金、銅、銅合金、銀、銀合金等がある。
【００３６】
また、第１ハウジング１１０及び第２ハウジング１２０は、相互隣接する部分に所定間隔で離隔された第１加圧面３３０及び第２加圧面３５０を各々具備して、第１加圧面３３０と第２加圧面３５０との間隙には、後述するシート本体３００の装着孔３２０の縁部が挟まれる。
【００３７】
図３は、本発明の第１実施例による治療用シート２００を図示する。
【００３８】
図３に示されたように、本発明の治療用シート２００は、シート本体３００と、シート本体３００に分離可能に結合された多数のダイオード組立体１００とを含む。
【００３９】
シート本体３００は、織物、編物、座布団、敷布団、不織布、ウレタン繊維等のような多様なシート材質で形成されることができ、その前面に多数の装着孔３２０が設けられ、この装着孔３２０に多数のレーザーダイオード組立体１００が分離可能に装着される。
【００４０】
レーザーダイオード組立体１００の第１ハウジング１１０は、その結合部１１０ｂが装着孔３２０の下部に挟まれた後、第１ハウジング１１０の結合部１１０ｂ及び第２ハウジング１２０の結合溝１２０ｂが、その雄ねじ部１１０ｃと雌ねじ部１２０ｃとの螺合によって分離可能に結合され、これにより、第１ハウジング１１０の第１加圧面３３０及び第２ハウジング１２０の第２加圧面３５０が、シート本体３００の装着孔３２０の縁部を圧着することによって、レーザーダイオード組立体１００はシート本体３００側に一層堅く結合される。
【００４１】
すなわち、シート本体３００の各装着孔３２０に第１ハウジング１１０の結合部１１０ｂを挟み込んだ後、このように装着された第１ハウジング１１０の結合部１１０ｂに第２ハウジング１２０の結合溝１２０ｂを、第１ハウジング１１０の結合部１１０ｂ側に雌ねじ部１２０ｃ及び雄ねじ部１１０ｃを用いて螺合させることで、レーザーダイオード１５０をシート本体３００に一層堅く結合させることができる。また、各レーザーダイオード１５０の交替ないし修理のために第１ハウジング１１０及び第２ハウジング１２０を分解しようとする場合には、雌ねじ部１２０ｃ及び雄ねじ部１１０ｃを用いて分解することにより、各レーザーダイオード１５０の交替ないし修理等が容易となり、これにより、本発明のレーザーダイオード組立体１００及び治療用シート２００は、その維持補修性を大幅に向上させることができる。
【００４２】
また、第１ハウジング１１０の底面には底面カバー３１０が配置され、本発明の治療用シート２００の底面を支持することができる。
【００４３】
一方、本発明のレーザーダイオード組立体１００を含む治療用シート２００は、レーザーダイオード組立体１００の第１及び／又は第２ハウジング１１０、１２０が熱伝導性材質で形成され、レーザーダイオード１５０から発生した熱をより効果的に外部に放出させることができ、これにより、第１及び／又は第２ハウジング１１０、１２０を介して放出する熱を用いて、温熱または暖房の機能を同時に具現することができる。
【００４４】
また、第１ハウジング１１０及び第２ハウジング１２０中、使用者の身体と直接接触または隣接する第２ハウジング１２０は、陰電位を帯びる金属材質、より具体的には、アルミニウム、アルミニウム合金、銀、銀合金、銅、銅合金の何れか一つの材質で形成されることができる。前記のような陰電位を帯びる金属が身体と直接接触する場合、身体の筋肉及び／又は神経が反応し、身体の痛みを軽減させたり血行を改善したりする等の治療効能が発現することは広く公知されている。
【００４５】
特に、第２ハウジング１２０がアルミニウム合金で形成される場合、前記アルミニウム合金は、アルミニウム９０％と、Ｓｉ、Ｆｅ、Ｃｕ、Ｍｎ、Ｍｇ、Ｚｎ、Ｔｉ、Ｎｉ、Ｋ、Ｃａ、Ｂ、Ｖより選択された１種以上の無機生体元素１０％とからなり、前記アルミニウム合金は陰電極を帯びるように加工されることによって、皮膚接触式キャパシタ電極（capacitors electrode）の用途に活用することができる。
【００４６】
また、第２ハウジング１２０が銀または銀合金で形成される場合にも、銀材質の特性によって第２ハウジング１２０が身体と接触し、その特有の治療効能を発現することができる。
【００４７】
一方、前記のような微細な陰電位を帯びる金属が身体と接触すると、身体の筋肉及び／又は神経の反応を誘導し、痛みを軽減させたり血行を改善したりする治療効能を発現させることは広く公知されている（非特許文献１参照、非特許文献２参照、特許文献１参照）。
【００４８】
図４は、本発明の第２実施例によるレーザーダイオード組立体１００を図示している。本発明の第２実施例によるレーザーダイオード組立体１００は、図４に示されたように、第１ハウジング１１０の第１加圧面３３０及び第２ハウジング１２０の第２加圧面３５０に、それぞれ係合フック１１０ｄ及び係合溝１２０ｄを相互対応するように具備し、前記係合フック１１０ｄ及び係合溝１２０ｄが相互係合することにより、第１ハウジング１１０と第２ハウジング１２０とが分離可能に結合される。
【００４９】
これに対応して、本発明の第２実施例による治療用シート２００が図５に示されている。本発明の第２実施例による治療用シート２００は、シート本体３００に多数の装着孔３２０が設けられ、この装着孔３２０に図４に示されたレーザーダイオード組立体１００が分離可能に装着され、装着孔３２０に隣接して係合フック１１０ｄが挿入される挿入孔３２０ａが設けられている。
【００５０】
その他の構成及び作用は、図１乃至図３に示された実施例と同一または類似するので、その詳細な説明は省略する。
【００５１】
図６は、本発明の第３実施例による治療用レーザーダイオード組立体４００を図示する。
【００５２】
図６に示されたように、本発明の第３実施例による治療用レーザーダイオード組立体４００は、レーザーダイオード１５０と、第１ハウジング４１０と、第２ハウジング４２０と、放熱部材４３０とを含む。
【００５３】
第１ハウジング４１０は、その内部にレーザーダイオード１５０及び放熱部材４３０を収容する収容空間４１０ａが設けられ、その上部側に結合部４１０ｂを具備し、この結合部４１０ｂの外周面には雄ねじ部４１０ｃが設けられている。
【００５４】
第２ハウジング４２０は、その上部にレンズ部４２０ｄが一体型または組立式に備えられ、このレンズ部４２０ｄの外周に枠部４２０ａが設けられる。第２ハウジング４２０の内部には、第１ハウジング４１０の結合部４１０ｂに挟まれる結合溝４２０ｂを有し、この結合溝４２０ｂの内周面には前記結合部４１０ｂの雄ねじ部４１０ｃと螺合される雌ねじ部４２０ｃが設けられる。半球状のレンズ部４２０ｄは、透明な材質で形成され、レーザーダイオード１５０から照射されるレーザー光を広い範囲に拡散させることができる。
【００５５】
第１ハウジング４１０及び第２ハウジング４２０は、第１ハウジング４１０の結合部４１０ｂ及び第２ハウジング４２０の結合溝４２０ｂが、その雄ねじ部４１０ｃと雌ねじ部４２０ｃとの螺合によって分離可能に結合されることで、その組立及び分解が極めて容易であるという長所がある。
【００５６】
また、第１ハウジング４１０及び第２ハウジング４２０は、その相互隣接する部分に所定間隔で離隔された第１加圧面３３０及び第２加圧面３５０を各々具備し、第１加圧面３３０と第２加圧面３５０との間隙には、後述するシート本体３００の装着孔３２０の縁部が挟まれる。
【００５７】
また、第１ハウジング４１０の収容空間４１０ａには放熱部材４３０が収容され、この放熱部材４３０にはレーザーダイオード１５０が収容され、このレーザーダイオード１５０の下部には駆動回路基板１６０が接続されており、この駆動回路基板１６０には一つ以上の電線１６０ａ、１６０ｂが引出される。
【００５８】
放熱部材４３０は、その内部にレーザーダイオード１５０の一部及び駆動回路基板１６０を収容する収容空間４３０ａを具備し、斯かる収容空間４３０ａを介してレーザーダイオード１５０及び駆動回路基板１６０を囲むように装着される。
【００５９】
また、放熱部材４３０とレーザーダイオード１５０が相互接触する部分には、結合突起１５０c及び結合溝４３０ｃが相互対応に備えられ、レーザーダイオード１５０が放熱部材４３０の収容空間４３０ａに安定的に装着される。
【００６０】
このような放熱部材４３０は、レーザーダイオード１５０または駆動回路基板１６０から発生する熱を外部に放出するように、アルミニウム、アルミニウム合金、銅、銅合金、銀、銀合金等のような熱伝導性材質で形成され、放熱の効率を高めるように多数の放熱ピンを具備することもある。
【００６１】
第１ハウジング４１０及び第２ハウジング４２０も、レーザーダイオード１５０または駆動回路基板１６０から発生する熱を外部に放出するように、アルミニウム、アルミニウム合金、銅、銅合金、銀、銀合金等のような熱伝導性材質で形成される。
【００６２】
図７は、本発明の第３実施例による治療用シート２００を図示する。
【００６３】
図７に示されたように、本発明の第３実施例による治療用シート２００は、多数の装着孔３２０を有するシート本体３００に、図６のレーザーダイオード組立体４００が装着されることを特徴とする。
【００６４】
シート本体３００の装着孔３２０内に第１ハウジング４１０の結合部４１０ｂが挟まれた後、第１ハウジング４１０の結合部４１０ｂに第２ハウジング４２０の結合溝４２０ｂが、雄ねじ部４１０ｃと雌ねじ部４２０ｃとの螺合によって結合され、これにより、第１ハウジング４１０の第１加圧面３３０及び第２ハウジング４２０の第２加圧面３５０が、シート本体３００の装着孔３２０の縁部を圧着することにより、レーザーダイオード組立体４００はシート本体３００側に堅く結合される。
【００６５】
一方、本第３実施例は、第２ハウジング４２０のレンズ部４２０ｄを介してレーザーダイオード１５０の上部を密閉することにより、上部からレーザーダイオード１５０及び駆動回路基板１６０に各種水分または湿気が浸入することを遮断することができる。
【００６６】
好ましくは、第１ハウジング４１０の雄ねじ部４１０ｃと第２ハウジング４２０の雌ねじ部４２０ｃとの間には、密封材が介在されることにより、レーザーダイオード１５０及び駆動回路基板１６０への水分浸入をより効果的に防止することができる。
【００６７】
第１ハウジング４１０の収容空間４１０ａには、その下部を介して放熱部材４３０が挟まれて収容され、この放熱部材４３０の収容空間４３０ａには、その下部を介してレーザーダイオード１５０が挟まれて収容され、このレーザーダイオード１５０の下部には駆動回路基板１６０が接続されており、この駆動回路基板１６０には一つ以上の電線１６０ａ、１６０ｂが引出される。
【００６８】
また、駆動回路基板１６０は、その下部面がシート本体３００の下部を介して底面カバー３１０に向かって露出しているので、この駆動回路基板１６０の下部面にはエポキシ等のような密封層４４０が塗布されることにより、レーザーダイオード１５０及び駆動回路基板１６０は、その下部から浸入する各種水分を遮断することができる。前記密封層４４０は、放熱部材４３０とレーザーダイオード１５０及び駆動回路基板１６０との隙間空間にも塗布されることにより、その密封性を補強することも可能である。
【００６９】
すなわち、本第３実施例による治療用シート２００は、放熱部材４３０によってレーザーダイオード１５０及び駆動回路基板１６０から発生する熱をより効果的に外部に放出でき、また、第２ハウジング４２０のレンズ部４２０ｄによって上部からレーザーダイオード１５０及び駆動回路基板１６０側に水分が浸入することを防止し、密封層４４０によって下部からレーザーダイオード１５０及び駆動回路基板１６０側に水分が浸入することを防止することで、レーザーダイオード１５０及び駆動回路基板１６０の防水機能を大幅に向上させた長所がある。
【００７０】
図８は、本発明の第４実施例によるレーザーダイオード組立体４００及び治療用シート２００を示したもので、本第４実施例は、第２ハウジング４２０のレンズ部４２０ｄの外周に設けられた枠部４２０ａが省略された構造で構成され、これに対応して第１ハウジング４１０の幅が第２ハウジング４２０の幅に対応する大きさで形成されたことを特徴とする。従って、本第４実施例は、よりコンパックしたレーザーダイオード組立体４００を具現し、これにより、レーザーダイオード組立体４００をシート本体３００に一層簡便に装着できるという長所がある。
【００７１】
図９は、本発明の第５実施例による治療用レーザーダイオード組立体５００を図示する。
【００７２】
図９に示されたように、本発明の第５実施例による治療用レーザーダイオード組立体５００は、レーザーダイオード１５０と、第１ハウジング５１０と、第２ハウジング５２０と、放熱部材５３０とを含む。
【００７３】
第１ハウジング５１０は、その内部にレーザーダイオード１５０及び放熱部材５３０を収容する収容空間５１０ｃを有し、収容空間５１０ｃの内径面には雌ねじ部５１０ｂが設けられ、この収容空間５１０ｃの下部には貫通孔５１０ａが設けられている。
【００７４】
第２ハウジング５２０は、その内部にレーザーダイオード１５０を収容する収容空間５２０ｃを具備し、この収容空間５２０ｃの外側には結合部５２０ａが設けられ、この結合部５２０ａの外側には雄ねじ部５２０ｂが設けられ、この収容空間５２０ｃの上部には貫通孔５２０ｄが設けられている。
【００７５】
第１ハウジング５１０及び第２ハウジング５２０は、その雌ねじ部５１０ｂと雄ねじ部５２０ｂとが螺合されることによって各収容空間５１０ｃ、５２０ｃが相互隣接し、この収容空間５１０ｃ、５２０ｃにレーザーダイオード１５０、駆動回路基板１６０、放熱部材５３０等が収容される。
【００７６】
レーザーダイオード１５０は、その外周面にレンズ部５１５が一体に設けられる。図１０に示されたように、所定形状の金型枠２０内にエポキシ樹脂等のような透明または半透明の溶融された合成樹脂２５を注入した後、この溶融状態の合成樹脂２５にレーザーダイオード１５０を挿入し、次に、所定時間硬化させた後に金型枠２０を離型させることにより、レンズ部５１５はレーザーダイオード１５０の外側に一体に設けられる。
【００７７】
このようなレンズ部５１５は、第２ハウジング５２０の貫通孔５２０ｄを介してその上部の一部分が露出し、レーザーダイオード１５０から照射されるレーザー光をより多様な範囲に拡散させることにより、指向角の多変化を図ることができる。
【００７８】
第１ハウジング５１０及び第２ハウジング５２０は、その雌ねじ部５１０ｃと雄ねじ部５２０ｃとの螺合によって分離可能に結合されることにより、その組立及び分解が極めて容易であるという長所がある。
【００７９】
また、第１ハウジング５１０及び第２ハウジング５２０は、相互隣接する部分に所定間隔で離隔された第１加圧面３３０及び第２加圧面３５０を各々具備し、第１加圧面３３０と第２加圧面３５０との間隙には、後述するシート本体３００の装着孔３２０の縁部が挟まれる。
【００８０】
また、第１ハウジング５１０の収容空間５１０ａに収容される放熱部材５３０は、駆動回路基板１６０を囲む構造に設けられ、この駆動回路基板１６０はレーザーダイオード１５０に接続され、この駆動回路基板１６０には一つ以上の電線１６０ａ、１６０ｂが引出される。
【００８１】
放熱部材５３０は、レーザーダイオード１５０または駆動回路基板１６０から発生する熱を外部に放出するように、アルミニウム、アルミニウム合金、銅、銅合金、銀、銀合金等のような熱伝導性材質で形成され、放熱の効率を高めるように多数の放熱ピンを具備することもある。
【００８２】
第１ハウジング５１０及び第２ハウジング５２０も、レーザーダイオード１５０または駆動回路基板１６０から発生する熱を外部に放出するようにアルミニウム、アルミニウム合金、銅、銅合金、銀、銀合金等のような熱伝導性材質で形成される。
【００８３】
図１１は、本発明の第５実施例による治療用シート２００を図示する。
【００８４】
図１１に示されたように、本発明の第５実施例による治療用シート２００は、多数の装着孔３２０を有するシート本体３００に、図９のレーザーダイオード組立体５００が装着されることを特徴とする。
【００８５】
シート本体３００の装着孔３２０に第２ハウジング５２０の結合部５２０ｂが挟まれた後、第２ハウジング５２０の結合部５２０ｂに第１ハウジング５１０が、雄ねじ部５２０ｂと雌ねじ部５１０ｂとの螺合によって結合され、これにより、第１ハウジング５１０の第１加圧面３３０及び第２ハウジング５２０の第２加圧面３５０が、シート本体３００の装着孔３２０の縁部を圧着することで、レーザーダイオード組立体５００はシート本体３００側に一層堅く結合される。
【００８６】
一方、本第５実施例は、レンズ部５１５がレーザーダイオード１５０の外表面を囲む構造に設けられていることによって、上部からレーザーダイオード１５０及び駆動回路基板１６０に各種水分または湿気が浸入することをより効果的に遮断することができる。
【００８７】
また、駆動回路基板１６０は、その下部面がシート本体３００の下部を介して底面カバー３１０に向かって露出しているので、この駆動回路基板１６０の下部面にはエポキシ等のような密封層５４０が塗布されることにより、レーザーダイオード１５０及び駆動回路基板１６０は、その下部から浸入する各種水分を遮断することができる。前記密封層５４０は、放熱部材５３０とレーザーダイオード１５０及び駆動回路基板１６０との隙間空間にも塗布されることにより、その密封性を補強することも可能である。
【００８８】
すなわち、本第５実施例による治療用シート２００は、放熱部材５３０によってレーザーダイオード１５０及び駆動回路基板１６０から発生する熱をより効果的に外部に放出でき、また、レーザーダイオード１５０の外側を囲むレンズ部５１５によって上部からレーザーダイオード１５０及び駆動回路基板１６０側に水分が浸入することを防止し、密封層５４０によって下部からレーザーダイオード１５０及び駆動回路基板１６０側に水分が浸入することを防止することで、レーザーダイオード１５０及び駆動回路基板１６０の防水機能を大幅に向上させた長所がある。
【００８９】
一方、上述した実施例によるレーザーダイオード組立体１００、４００、５００及び治療用シート２００は、図１４に例示されたように、頭皮治療器または関節炎治療器等の用途に活用することができる。図１４の未説明符号１１は、低周波発生器を示し、１２は熱線を示す。
【００９０】
その他にも、本発明のレーザーダイオード組立体１００、４００、５００及び治療用シート２００は、治療用マット（図１２）、治療用バンド（図１３）、治療用マスク等のような多様な形態または構造に適用可能である。
【００９１】
以下、本発明の好ましい更に他の実施例によるレーザーダイオード組立体の更に他の実施例を、図１５〜図１８を参照して詳細に説明する。
【００９２】
図１５は、本発明の他の実施例によるレーザーダイオード組立体を示した結合斜視図であり、図１６は、図１５のレーザーダイオード組立体を示した分解斜視図であり、図１７は、図１５のレーザーダイオード組立体を示した結合断面図である。また、図１８は、図１５のレーザーダイオード組立体を示した写真である。
【００９３】
図１５乃至図１８に示されたように、本発明のレーザーダイオード組立体１００は、レーザーダイオード１０と、前記レーザーダイオード１０に接続された印刷回路基板２０’と、前記印刷回路基板２０’を囲む放熱部材３０と、前記レーザーダイオード１０の上端部に備えられたレンズ４０と、を含む。
【００９４】
レーザーダイオード１０は、光通信ＯＡ、ＡＶ、計測分野だけでなく、医療分野などに適合した多様な波長を有するレーザー光を照射する多様な形態のレーザーダイオードが適用される。
【００９５】
一方、図１６に例示されたように、レーザーダイオード１０は、その内部に光源（図示せず）と、フォトダイオード等を具備したステム１１と、前記ステム１１の上部に備えられ、前記光源（図示せず）から発生したレーザー光を外部に通過させる通過孔１２ａを有する円筒形カバー１２と、を含む。
【００９６】
印刷回路基板２０’はレーザーダイオード１０に電気的に接続され、この印刷回路基板２０’から一つ以上の電線２１’、２２’が引出される。
【００９７】
放熱部材３０は、その内部に収容空間を具備し、この収容空間に印刷回路基板２０’及び／又はレーザーダイオード１０が収容され、レーザーダイオード１０の作動途中に印刷回路基板２０’及び／又はレーザーダイオード１０から発生した熱を外部に効果的に放出させるように、アルミニウム、アルミニウム合金、銅、銅合金、銀、銀合金等のような熱伝導性材質で形成される。また、放熱部材３０は、放熱の効率を高めるように多数の放熱ピンを具備することもある。
【００９８】
放熱部材３０とレーザーダイオード１０が相互接触する部分には、結合溝３０ｃ及び結合突起１０ｃが相互対応するように備えられることにより、レーザーダイオード１０が放熱部材３０の収容空間に一層堅く装着される。
【００９９】
レーザーダイオード１０はその外周面にレンズ４０が備えられ、このレンズ４０は、光を集める凸レンズ（集光レンズ）、周辺側に光を発散させる凹レンズ（発散レンズ）、凸レンズ及び凹レンズ等が組み合わせた組合レンズ、球面または非球面レンズ等のような多様な形態のレンズを適用することができる。
【０１００】
このレンズ４０の材質は、ＳｉＯ２を含有したガラスレンズ、透明樹脂、エポキシ樹脂の何れか一つまたは二つ以上で形成される。
【０１０１】
レンズ４０は、レーザーダイオード１０の通過孔１２ａが設けられた端部を囲む構造で形成され、これにより、上部からレーザーダイオード１０及び回路基板２０’に各種水分または湿気が浸入することをより効果的に遮断することができる。
【０１０２】
印刷回路基板２０’の下部面には、放熱部材３０の収容空間側にエポキシ等のような密封材３５が塗布されることにより、レーザーダイオード１０及び印刷回路基板２０’はその下部から浸入する各種水分を遮断することができる。
【０１０３】
これにより、本発明のレーザーダイオード組立体１００は、放熱部材３０によってレーザーダイオード１０及び印刷回路基板２０’から発生する熱をより効果的に外部に放出することができ、レンズ４０によってレーザーダイオード１０のレーザー光をより効果的に照射できるという長所がある。
【０１０４】
また、本発明は、レンズ４０がレーザーダイオード１０の上端を囲み、印刷回路基板２０’とレーザーダイオード１０との間に密封材３５が塗布されることにより、レーザーダイオード１０及び印刷回路基板２０’に水分または各種異質物が浸入することを防止することができる。
【０１０５】
以上で説明した本発明は、前述した実施例及び添付図面によって限定されるものでなく、本発明の技術的思想を外れない範囲で多様に修正及び変形できることは、この技術分野で通常の知識を有する者にとっては自明なことである。従って、そうした修正例または変形例は、本発明の特許請求範囲に属するというべきである。
【符号の説明】
【０１０６】
１００  レーザーダイオード組立体
１１０  第１ハウジング
１２０  第２ハウジング
１５０  レーザーダイオード
２００  治療用シート
３００  シート本体
３２０  装着孔
【図１】
2010518618.tif 000003
【図２】
2010518618.tif 000004
【図３】
2010518618.tif 000005
【図４】
2010518618.tif 000006
【図５】
2010518618.tif 000007
【図６】
2010518618.tif 000008
【図７】
2010518618.tif 000009
【図８】
2010518618.tif 000010
【図９】
2010518618.tif 000011
【図１０】
2010518618.tif 000012
【図１１】
2010518618.tif 000013
【図１２】
2010518618.tif 000014
【図１３】
2010518618.tif 000015
【図１４】
2010518618.tif 000016
【図１５】
2010518618.tif 000017
【図１６】
2010518618.tif 000018
【図１７】
2010518618.tif 000019
【図１８】
2010518618.tif 000020
【国際調査報告】
2010518618.tif 000021
2010518618.tif 000022